(57)【要約】【課題】筐体に収納したアンテナを容易に取り出すこと。【解決手段】アンテナ１０４は、アンテナ根元部２０１とアンテナ根元部２０１から伸張するアンテナ伸張部２０２とを有する。第１のアンテナ収納部１０５は、第１の筐体１０１に設けられ、アンテナ根元部２０１を収納する。第２のアンテナ収納部１０６は、第１の筐体１０１に設けられ、アンテナ伸張部２０２を収納する。空隙部１０７は、第１の筐体１０１の第１のアンテナ収納部１０５と第２のアンテナ収納部１０６との間に設けられる。【選択図】図４
2010171888.tif 000002
【特許請求の範囲】
【請求項１】
筐体と、
アンテナ根元部と前記アンテナ根元部から伸張するアンテナ伸張部とを有するアンテナと、
前記筐体に設けられ、前記アンテナ根元部を収納する第１のアンテナ収納部と、
前記筐体に設けられ、前記アンテナ伸張部を収納する第２のアンテナ収納部と、
前記筐体の前記第１のアンテナ収納部と前記第２のアンテナ収納部との間に設けられた空隙部と、
を備える携帯端末。
【請求項２】
前記アンテナ根元部は、前記第１のアンテナ収納部内をスライド可能であり、
前記アンテナ伸張部は、前記第２のアンテナ収納部に収納された状態において前記アンテナ根元部がスライドした際に、一部が前記空隙部に移動して前記筐体の壁部に当接するとともに前記壁部を支点として回動することにより前記第２のアンテナ収納部から浮き上がる請求項１記載の携帯端末。
【請求項３】
前記アンテナは、前記アンテナ根元部に対して前記アンテナ伸張部を折り曲げ可能にするとともに前記筐体から突出可能なヒンジ部をさらに有する請求項１記載の携帯端末。
【請求項４】
筐体と、
根元部分にヒンジ部を有するアンテナと、
前記筐体に設けられ、前記ヒンジ部から折り曲げた前記アンテナを収納するアンテナ収納部とを備え、
前記アンテナ収納部の底面の前記ヒンジ部の近傍に凹部を有する携帯端末。
【発明の詳細な説明】
【技術分野】
【０００１】
本発明は、携帯端末に関し、特にアンテナを折り曲げた状態で筐体に収納する携帯端末に関する。
【背景技術】
【０００２】
従来、アンテナを折り曲げた状態で筐体に収納可能な携帯端末が知られている（例えば、非特許文献１）。このような携帯端末においては、ディジタル放送受信時等にアンテナを筐体から取り出して使用する。また、このような携帯端末においては、筐体の表面にアンテナ収納部に連通する切り欠き部を設けるものが知られている。これにより、ユーザは、アンテナ使用時において、筐体に設けた切り欠き部に指を挿入してアンテナを持ち上げることにより、筐体に収納されているアンテナを容易に取り出すことができる。
【非特許文献１】ケータイＷａｔｃｈ編集部、ケータイ新製品ＳＨＯＷ  ＣＡＳＥ  ＮＴＴドコモ  ＳＯ９０３ｉＴＶ、［online］、［平成２０年１２月１８日検索］、インターネット〈http://k-tai.impress.co.jp/cda/article/showcase_top/36072.html〉
【発明の開示】
【発明が解決しようとする課題】
【０００３】
しかしながら、従来の装置においては、筐体の表面に切り欠き部を設けるので、携帯端末のデザイン性を損なう等の問題がある。
【０００４】
本発明はかかる点に鑑みてなされたものであり、筐体に収納したアンテナを容易に取り出すことができる携帯端末を提供することを目的とする。
【課題を解決するための手段】
【０００５】
本発明の携帯端末は、筐体と、アンテナ根元部と前記アンテナ根元部から伸張するアンテナ伸張部とを有するアンテナと、前記筐体に設けられ、前記アンテナ根元部を収納する第１のアンテナ収納部と、前記筐体に設けられ、前記アンテナ伸張部を収納する第２のアンテナ収納部と、前記筐体の前記第１のアンテナ収納部と前記第２のアンテナ収納部との間に設けられた空隙部と、を備える構成を採る。
【０００６】
また、本発明の携帯端末は、筐体と、根元部分にヒンジ部を有するアンテナと、前記筐体に設けられ、前記ヒンジ部から折り曲げた前記アンテナを収納するアンテナ収納部とを備え、前記アンテナ収納部の底面の前記ヒンジ部の近傍に凹部を有する構成を採る。
【発明の効果】
【０００７】
本発明によれば、筐体に収納したアンテナを容易に取り出すことができる。
【発明を実施するための最良の形態】
【０００８】
以下、本発明の実施の形態について、図面を参照して詳細に説明する。
【０００９】
（実施の形態）
図１は、本発明の実施の形態に係るアンテナ収納時における携帯端末１００の要部の斜視図である。また、図２は、図１のＡ−Ａ線断面図である。また、図３は、本発明の実施の形態に係るアンテナ取り出し時における携帯端末１００の要部の斜視図である。また、図４は、図３のＢ−Ｂ線断面図である。また、図５は、本発明の実施の形態に係るアンテナ使用時における携帯端末１００の要部の斜視図である。また、図６は、図５のＣ−Ｃ線断面図である。
【００１０】
携帯端末１００は、第１の筐体１０１と、第２の筐体１０２と、第３の筐体１０３と、アンテナ１０４と、第１のアンテナ収納部１０５と、第２のアンテナ収納部１０６と、空隙部１０７とから主に構成される。
【００１１】
以下に、各構成について、図１〜図６を用いて詳細に説明する。
【００１２】
第１の筐体１０１は、第３の筐体１０３に設けられた図示しないヒンジ部により、第３の筐体１０３に対して回動自在に第３の筐体１０３に取り付けられる。また、第１の筐体１０１は、側面部１１０に第１のアンテナ収納部１０５と、第２のアンテナ収納部１０６と、空隙部１０７とを有する。
【００１３】
第２の筐体１０２は、第３の筐体１０３に設けられた図示しないヒンジ部により、第３の筐体１０３に対して回動自在に第３の筐体１０３に取り付けられる。
【００１４】
第３の筐体１０３は、図示しないヒンジ部を有し、ヒンジ部を介して、第１の筐体１０１と第２の筐体１０２とを互いに回動自在に連結する。
【００１５】
アンテナ１０４は、例えばホイップアンテナであり、アンテナ根元部２０１と、アンテナ根元部２０１から伸張するアンテナ伸張部２０２と、ヒンジ部２０３とから構成される（図２、図４または図６参照）。また、アンテナ１０４は、アンテナ根元部２０１に対して、アンテナ伸張部２０２がヒンジ部２０３から折り曲げ可能になっている。また、アンテナ１０４は、収納時において、図１及び図２に示すように、アンテナ根元部２０１が第１のアンテナ収納部１０５に収納され、アンテナ伸張部２０２が第２のアンテナ収納部１０６に収納される。また、アンテナ１０４は、取り出し時において、図３及び図４に示すように、アンテナ伸張部２０２が第２のアンテナ収納部１０６の底面部２２１から浮き上がった状態になる。また、アンテナ１０４は、使用時において、図５及び図６に示すように、ヒンジ部２０３が第１の筐体１０１から外部に突出するとともに、アンテナ伸張部２０２が第１の筐体１０１の外部においてヒンジ部２０３を支点として回転可能になる。なお、アンテナ１０４を取り出す方法については後述する。
【００１６】
第１のアンテナ収納部１０５は、第１の筐体１０１に設けられ、ガイド部２１０が取り付けられる。また、第１のアンテナ収納部１０５は、ガイド部２１０を介してアンテナ根元部２０１が図２、図４または図６の上下方向にスライド可能な状態でアンテナ根元部２０１を収納する。
【００１７】
第２のアンテナ収納部１０６は、第１の筐体１０１の長手方向に沿って第１の筐体１０１の側面部１１０に設けられ、アンテナ伸張部２０２を収納する。また、第２のアンテナ収納部１０６は、長手方向（図２、図４または図６において左右方向）が第１のアンテナ収納部１０５の長手方向（図２、図４または図６において上下方向）と垂直になるように形成される。
【００１８】
空隙部１０７は、第１の筐体１０１に設けられる。また、空隙部１０７は、第１のアンテナ収納部１０５と第２のアンテナ収納部１０６との間に設けられる。また、空隙部１０７は、図２、図４または図６に示すように、第２のアンテナ収納部１０６の底面部２２１のヒンジ部２０３の近傍に、凹部として形成される。また、空隙部１０７の周囲には、空隙部１０７を形成する傾斜面である側壁部２２０が形成されている。また、側壁部２２０と底面部２２１とが交わることにより支点部２２２（壁部）が形成される。
【００１９】
次に、アンテナ１０４の構成について、図１〜図６を用いてさらに詳細に説明する。
【００２０】
アンテナ根元部２０１は、アンテナ伸張部２０２に対してヒンジ部２０３から折り曲げ可能であり、ヒンジ部２０３を介してアンテナ伸張部２０２と接続する。また、アンテナ根元部２０１は、第１のアンテナ収納部１０５内及び空隙部１０７内をスライドする。また、アンテナ根元部２０１は、ガイド部２１０に形成された貫通孔２３０内をスライドするとともに、貫通孔２３０の内壁部に圧接することにより所望の位置で停止する。例えば、アンテナ根元部２０１は、貫通孔２３０の内壁部と当接する位置に、アンテナ根元部２０１のスライド方向と垂直方向に弾性変形可能な複数の当接片を形成し、形成した当接片が貫通孔２３０の内壁部に圧接することにより、所望の位置で停止する。また、アンテナ根元部２０１は、下端にフランジ部２０４を有する。アンテナ根元部２０１は、アンテナ１０４の取り出し時においてアンテナ１０４の収納時よりも下方に位置し（図２及び図４参照）、アンテナ１０４の使用時においてアンテナ１０４の収納時よりも上方に位置する（図２及び図６参照）。
【００２１】
アンテナ伸張部２０２は、アンテナ根元部２０１に対してヒンジ部２０３から折り曲げ可能であり、ヒンジ部２０３を介してアンテナ根元部２０１と接続する。また、アンテナ伸張部２０２は、アンテナ１０４の収納時において、第２のアンテナ収納部１０６に収納され、第１の筐体１０１の外表面部２２３から突出しない状態になる（図２参照）。また、アンテナ伸張部２０２は、アンテナ１０４の収納時において、ヒンジ部２０３側が空隙部１０７の上方に位置する。また、アンテナ伸張部２０２は、アンテナ１０４の取り出し時において、ヒンジ部２０３側が空隙部１０７に位置するとともに支点部２２２と当接する（図４参照）。また、アンテナ伸張部２０２は、アンテナ１０４の使用時において、第１の筐体１０１の外部に突出し、ヒンジ部２０３を支点として任意の方向に回動自在になる（図６参照）。また、アンテナ伸張部２０２は、図５に示すように、伸縮自在になっており、伸ばした状態で使用し、縮めた状態で第２のアンテナ収納部１０６に収納される。
【００２２】
ヒンジ部２０３は、アンテナ根元部２０１とアンテナ伸張部２０２とを互いに折り曲げ自在及び回動自在に接続する。また、ヒンジ部２０３は、アンテナ１０４の収納時において第２のアンテナ収納部１０６に位置し（図２参照）、アンテナ１０４の取り出し時において空隙部１０７に位置し（図４参照）、アンテナ１０４の使用時において第１の筐体１０１から突出して第１の筐体１０１の外部に位置する（図６参照）。これより、アンテナ１０４の収納時及び取り出し時において、アンテナ根元部２０１に対してアンテナ伸張部２０２を図２または図４において上下方向に回動させることができ、アンテナ１０４の使用時において、アンテナ根元部２０１に対してアンテナ伸張部２０２を任意の方向に回動させることができる。
【００２３】
フランジ部２０４は、アンテナ根元部２０１の下端部に設けられ、アンテナ根元部２０１の第１のアンテナ収納部１０５からの抜け止めになっている。即ち、フランジ部２０４は、アンテナ１０４の使用時において第１のアンテナ収納部１０５に設けられたガイド部２１０の下端部に当接して、アンテナ根元部２０１の上方への移動を規制する。
【００２４】
次に、アンテナ１０４を第１の筐体１０１に収納した状態において、アンテナ１０４を第１の筐体１０１から取り出す方法について、図１〜図６を用いて説明する。
【００２５】
最初に、アンテナ１０４を第１の筐体１０１に収納した状態（図２の状態）において、アンテナ伸張部２０２のヒンジ部２０３側を図２の上方から下方（図１及び図２の矢印Ｙ１方向）へ押圧する。
【００２６】
これにより、アンテナ根元部２０１及びヒンジ部２０３が図２の下方へスライドするとともにアンテナ伸張部２０２のヒンジ部２０３側が支点部２２２に当接する。
【００２７】
この状態でさらにアンテナ伸張部２０２を矢印Ｙ１方向へ押圧すると、アンテナ根元部２０１及びヒンジ部２０３が図２の下方（図３及び図４のＹ４方向）へさらにスライドするとともに、アンテナ伸張部２０２の一部が空隙部１０７に移動する。また、これに伴って、アンテナ伸張部２０２が、支点部２２２に当接し、さらに支点部２２２を支点として図４において反時計回り（図３及び図４の矢印Ｙ２方向）に回動する。これにより、図４に示すように、アンテナ伸張部２０２が第１の筐体１０１の底面部２２１から浮き上がることにより第１の筐体１０１から突出し、アンテナ伸張部２０２を指で引っ張り上げることが可能になる。
【００２８】
次に、アンテナ伸張部２０２を引っ張り上げることにより、アンテナ根元部２０１及びヒンジ部２０３が上方（図５及び図６の矢印Ｙ３方向）へスライドし、ヒンジ部２０３が第１の筐体１０１の外部に突出する。これにより、アンテナ伸張部２０２を所望の向きに向けることが可能になり、アンテナ１０４によって受信する所望周波数の電波の受信状態を良好にすることができる。
【００２９】
次に、アンテナ１０４を第１の筐体１０１から取り出して使用した状態において、アンテナ１０４を第１の筐体１０１に収納する方法について、図１〜図６を用いて説明する。
【００３０】
最初に、アンテナ１０４を第１の筐体１０１から取り出して使用した状態（図６の状態）において、ヒンジ部２０３を支点としてアンテナ伸張部２０２を回動することにより、アンテナ伸張部２０２を第２のアンテナ収納部１０６上に移動させる。
【００３１】
次に、アンテナ伸張部２０２を図４の上方から下方へ押圧することにより、アンテナ伸張部２０２の先端部が第２のアンテナ収納部１０６内に収納される。さらにアンテナ伸張部２０２を図４の上方から下方へ押圧することにより、アンテナ根元部２０１、およびヒンジ部２０３が第１のアンテナ収納部１０５内にスライドする。これにより、アンテナ伸張部２０２が第２のアンテナ収納部１０６に収納されるとともに、アンテナ根元部２０１が第１のアンテナ収納部１０５に収納されて、アンテナ１０４の第１の筐体１０１への収納が完了する。
【００３２】
このように、本実施の形態によれば、第１の筐体の第１のアンテナ収納部と第２のアンテナ収納部との間に空隙部を設けることにより、アンテナの取り出し時において、アンテナ伸張部が空隙部に移動するとともに筐体の支点部を支点として回動して筐体から浮き上がるので、デザイン性を損なうことなく、筐体に収納したアンテナを容易に取り出すことができる。また、本実施の形態によれば、凹状の空隙部を形成するだけで良いので、アンテナを取り出すための複雑な機構または構造にする必要がなく、携帯端末の製造コストを増大させずに使い勝手の良い携帯端末を提供することができる。
【００３３】
なお、上記の実施の形態において、ホイップアンテナを筐体に収納する場合について説明したが、本発明はこれに限らず、ホイップアンテナ以外の任意のアンテナを筐体から取り出す場合にも適用することができる。また、上記の実施の形態において、アンテナ収納部を筐体の側面部に設けたが、本発明はこれに限らず、筐体の側面部以外の背面部等の任意の位置にアンテナ収納部を設けることができる。また、上記の実施の形態において、アンテナの長さに応じて、筐体に設ける空隙部の幅及び深さを適宜変更することができる。
【産業上の利用可能性】
【００３４】
本発明は、特にアンテナを折り曲げた状態で筐体に収納するのに好適であり、携帯電話、ＰＤＡ、ポータブルゲーム機、通信端末、ノートパソコン等や、これらの機器に外部接続するアンテナ装置に適用することができる。
【図面の簡単な説明】
【００３５】
【図１】本発明の実施の形態に係るアンテナ収納時における携帯端末の要部の斜視図
【図２】図１のＡ−Ａ線断面図
【図３】本発明の実施の形態に係るアンテナ取り出し時における携帯端末の要部の斜視図
【図４】図２のＢ−Ｂ線断面図
【図５】本発明の実施の形態に係るアンテナ使用時における携帯端末の要部の斜視図
【図６】図５のＣ−Ｃ線断面図
【符号の説明】
【００３６】
１００  携帯端末
１０１  第１の筐体
１０４  アンテナ
１０５  第１のアンテナ収納部
１０６  第２のアンテナ収納部
１０７  空隙部
２０１  アンテナ根元部
２０２  アンテナ伸張部
２０３  ヒンジ部
２０４  フランジ部
２１０  ガイド部
２２０  側壁部
２２１  底面部
２２２  支点部
２２３  外表面部
２３０  貫通孔
【図１】
2010171888.tif 000003
【図２】
2010171888.tif 000004
【図３】
2010171888.tif 000005
【図４】
2010171888.tif 000006
【図５】
2010171888.tif 000007
【図６】
2010171888.tif 000008